【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
複数人を対象とするアンケート回答情報であって、対象者の特定の生活意識の有無または特定の習慣の有無を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録する記録手段と、
前記記録手段に記録されたアンケート回答情報を読み出し、前記消費行動情報の商品またはサービスが同一である対象者をグループ化する消費行動グループ化手段と、
前記消費行動グループ化手段によってグループ化された商品・サービスのグループごとに、当該グループに属する対象者のうち、各特定の属性を有する対象者の出現割合を算出する消費行動・プロフィール集計手段と、
前記記録手段に記録されたアンケート回答情報を読み出し、前記メディア接触情報のメディアが同一である対象者をグループ化するメディア接触グループ化手段と、
前記メディア接触グループ化手段によってグループ化されたメディアのグループごとに、当該グループに属する対象者のうち、各特定の属性を有する対象者の出現割合を算出するメディア・プロフィール集計手段と、
前記消費行動・プロフィール集計手段によって算出された各特定の属性の出現割合が、各商品・サービスについて、どの程度変化しているかを示す分散を各特定の属性ごとに算出し、前記メディア・プロフィール集計手段によって算出された各特定の属性の出現割合が、各メディアについて、どの程度変化しているかを示す分散を各特定の属性ごとに算出して、前記双方の分散が、所定値以上である特定の属性を選択する属性選択手段と、
選択された複数の属性を座標軸とするプロフィール空間上に、各商品・サービスおよび各メディアを配置した場合の、各商品・サービスおよび各メディアとの間の空間距離を算出する評価手段と、
を備えた評価装置。
【請求項２】
コンピュータによって以下の機能を実現するためのプログラムを記録した記録媒体であって、
複数人を対象とするアンケート回答情報であって、対象者の特定の生活意識の有無または特定の習慣の有無を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録する記録手段と、
前記記録手段に記録されたアンケート回答情報を読み出し、前記消費行動情報の商品またはサービスが同一である対象者をグループ化する消費行動グループ化手段と、
前記消費行動グループ化手段によってグループ化された商品・サービスのグループごとに、当該グループに属する対象者のうち、各特定の属性を有する対象者の出現割合を算出する消費行動・プロフィール集計手段と、
前記記録手段に記録されたアンケート回答情報を読み出し、前記メディア接触情報のメディアが同一である対象者をグループ化するメディア接触グループ化手段と、
前記メディア接触グループ化手段によってグループ化されたメディアのグループごとに、当該グループに属する対象者のうち、各特定の属性を有する対象者の出現割合を算出するメディア・プロフィール集計手段と、
前記消費行動・プロフィール集計手段によって算出された各特定の属性の出現割合が、各商品・サービスについて、どの程度変化しているかを示す分散を各特定の属性ごとに算出し、前記メディア・プロフィール集計手段によって算出された各特定の属性の出現割合が、各メディアについて、どの程度変化しているかを示す分散を各特定の属性ごとに算出して、前記双方の分散が、所定値以上である特定の属性を選択する属性選択手段と、
選択された複数の属性を座標軸とするプロフィール空間上に、各商品・サービスおよび各メディアを配置した場合の、各商品・サービスおよび各メディアとの間の空間距離を算出する評価手段と、
をコンピュータによって実現するためのプログラムを記録した記録媒体。
【請求項３】
複数人を対象とするアンケート回答情報であって、対象者の年齢または年収を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録する記録手段と、
前記記録手段に記録されたアンケート回答情報を読み出し、前記消費行動情報の商品またはサービスが同一である対象者をグループ化する消費行動グループ化手段と、
前記消費行動グループ化手段によってグループ化された商品・サービスのグループごとに、当該グループに属する対象者の属性の平均値を算出する消費行動・プロフィール集計手段と、
前記記録手段に記録されたアンケート回答情報を読み出し、前記メディア接触情報のメディアが同一である対象者をグループ化するメディア接触グループ化手段と、
前記メディア接触グループ化手段によってグループ化されたメディアのグループごとに、当該グループに属する対象者の属性の平均値を算出するメディア・プロフィール集計手段と、
前記消費行動・プロフィール集計手段によって算出された各属性の平均値が、各商品・サービスについて、どの程度変化しているかを示す分散を各属性ごとに算出し、前記メディア・プロフィール集計手段によって算出された各属性の平均値が、各メディアについて、どの程度変化しているかを示す分散を各属性ごとに算出して、前記双方の分散が、所定値以上である特定の属性を選択する属性選択手段と、
選択された複数の属性を座標軸とするプロフィール空間上に、各商品・サービスおよび各メディアを配置した場合の、各商品・サービスおよび各メディアとの間の空間距離を算出する評価手段と、
を備えた評価装置。
【請求項４】
コンピュータによって以下の機能を実現するためのプログラムを記録した記録媒体であって、
複数人を対象とするアンケート回答情報であって、対象者の年齢または年収を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録する記録手段と、
前記記録手段に記録されたアンケート回答情報を読み出し、前記消費行動情報の商品またはサービスが同一である対象者をグループ化する消費行動グループ化手段と、
前記消費行動グループ化手段によってグループ化された商品・サービスのグループごとに、当該グループに属する対象者の属性の平均値を算出する消費行動・プロフィール集計手段と、
前記記録手段に記録されたアンケート回答情報を読み出し、前記メディア接触情報のメディアが同一である対象者をグループ化するメディア接触グループ化手段と、
前記メディア接触グループ化手段によってグループ化されたメディアのグループごとに、当該グループに属する対象者の属性の平均値を算出するメディア・プロフィール集計手段と、
前記消費行動・プロフィール集計手段によって算出された各属性の平均値が、各商品・サービスについて、どの程度変化しているかを示す分散を各属性ごとに算出し、前記メディア・プロフィール集計手段によって算出された各属性の平均値が、各メディアについて、どの程度変化しているかを示す分散を各属性ごとに算出して、前記双方の分散が、所定値以上である特定の属性を選択する属性選択手段と、
選択された複数の属性を座標軸とするプロフィール空間上に、各商品・サービスおよび各メディアを配置した場合の、各商品・サービスおよび各メディアとの間の空間距離を算出する評価手段と、
をコンピュータによって実現するためのプログラムを記録した記録媒体。
【請求項５】
請求項１〜４の何れかの装置または記録媒体において、
前記評価手段は、各個別メディアまたは各個別商品・サービスまたはこれら双方を、プロフィール空間上に配置した状態を、視覚的に提示することを特徴とする装置または記録媒体。
【請求項６】
請求項１〜４の装置または記録媒体において、
前記評価手段は、さらに、仮想的なメディアまたは仮想的な商品・サービスまたはこれら双方を、プロフィール空間上に配置した状態を、視覚的に提示するためのデータを出力することを特徴とする装置または記録媒体。
【請求項７】
コンピュータによってアンケート回答情報の解析をする方法であって、
前記コンピュータは、消費行動グループ化手段と、消費行動グループ化手段と、消費行動・プロフィール集計手段と、メディア接触グループ化手段と、メディア・プロフィール集計手段と、属性選択手段と、評価手段とを備え、記録手段にアクセス可能であり、
前記記録手段は、複数人を対象とするアンケート回答情報であって、対象者の特定の生活意識の有無または特定の習慣の有無を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録し、
前記消費行動グループ化手段は、前記記録手段に記録されたアンケート回答情報を読み出し、前記消費行動情報の商品またはサービスが同一である対象者をグループ化し、
前記消費行動・プロフィール集計手段は、前記消費行動グループ化手段によってグループ化された商品・サービスのグループごとに、当該グループに属する対象者のうち、各特定の属性を有する対象者の出現割合を算出し、
前記メディア接触グループ化手段は、前記記録手段に記録されたアンケート回答情報を読み出し、前記メディア接触情報のメディアが同一である対象者をグループ化し、
前記メディア・プロフィール集計手段は、前記メディア接触グループ化手段によってグループ化されたメディアのグループごとに、当該グループに属する対象者のうち、各特定の属性を有する対象者の出現割合を算出し、
属性選択手段は、前記消費行動・プロフィール集計手段によって算出された各特定の属性の出現割合が、各商品・サービスについて、どの程度変化しているかを示す分散を各特定の属性ごとに算出し、前記メディア・プロフィール集計手段によって算出された各特定の属性の出現割合が、各メディアについて、どの程度変化しているかを示す分散を各特定の属性ごとに算出して、前記双方の分散が、所定値以上である特定の属性を選択し、
前記評価手段は、選択された複数の属性を座標軸とするプロフィール空間上に、各商品・サービスおよび各メディアを配置した場合の、各商品・サービスおよび各メディアとの間の空間距離を算出することを特徴とする
コンピュータによってアンケート回答情報の解析をする方法。
【請求項８】
コンピュータによってアンケート回答情報の解析をする方法であって、
前記コンピュータは、消費行動グループ化手段と、消費行動グループ化手段と、消費行動・プロフィール集計手段と、メディア接触グループ化手段と、メディア・プロフィール集計手段と、属性選択手段と、評価手段とを備え、記録手段にアクセス可能であり、
前記記録手段は、複数人を対象とするアンケート回答情報であって、対象者の年齢または年収を属性として含むプロフィール情報と、対象者が購読している雑誌もしくは新聞、または視聴しているテレビ番組もしくはラジオ番組のうち少なくとも一つのメディアを含むメディア接触情報と、対象者が購入したことのある商品もしくはサービス、購入予定のある商品もしくはサービス、または興味のある商品もしくはサービスのうち少なくとも一つの商品またはサービスを含む消費行動情報とを含むアンケート回答情報を記録し、
前記消費行動グループ化手段は、前記記録手段に記録されたアンケート回答情報を読み出し、前記消費行動情報の商品またはサービスが同一である対象者をグループ化し、
前記消費行動・プロフィール集計手段は、前記消費行動グループ化手段によってグループ化された商品・サービスのグループごとに、当該グループに属する対象者の属性の平均値を算出し、
前記メディア接触グループ化手段は、前記記録手段に記録されたアンケート回答情報を読み出し、前記メディア接触情報のメディアが同一である対象者をグループ化し、
前記メディア・プロフィール集計手段は、前記メディア接触グループ化手段によってグループ化されたメディアのグループごとに、当該グループに属する対象者の属性の平均値を算出し、
属性選択手段は、前記消費行動・プロフィール集計手段によって算出された各属性の平均値が、各商品・サービスについて、どの程度変化しているかを示す分散を各属性ごとに算出し、前記メディア・プロフィール集計手段によって算出された各属性の平均値が、各メディアについて、どの程度変化しているかを示す分散を各属性ごとに算出して、前記双方の分散が、所定値以上である特定の属性を選択し、
前記評価手段は、選択された複数の属性を座標軸とするプロフィール空間上に、各商品・サービスおよび各メディアを配置した場合の、各商品・サービスおよび各メディアとの間の空間距離を算出することを特徴とする
コンピュータによってアンケート回答情報の解析をする方法。